(57)【要約】【課題】高い製作コストが掛からず、また、補強杆が簡単な操作で固定でき面倒な手間や多くの時間が掛からず、型枠パネルの組立における作業性が向上し、引いては工期の短縮及び施工コストの低廉を可能とした型枠パネル固定補助具を提供する。【解決手段】帯板状に形成される基板本体１に少なくとも両端部を含めその長手方向に沿って連結孔群２を等間隔に列設し、各連結孔群２は基板本体１の長手方向に沿って並ぶ２または３個の連結孔３を備え、各連結孔３は同じ内径を有すると共にそれら隣り合う連結孔３を該連結孔３の内径よりも溝幅の狭い挿通溝３ａにより連結することによって、各連結孔群２に楔差込用長孔４を形成した構成からなる。【選択図】図１
2008303649.tif 000002
【特許請求の範囲】
【請求項１】
帯板状に形成される基板本体に少なくとも両端部を含めその長手方向に沿って連結孔群を等間隔に列設し、前記各連結孔群は前記基板本体の長手方向に沿って並ぶ２または３個の連結孔を備え、前記各連結孔は同じ内径を有すると共にそれら隣り合う連結孔を該連結孔の内径よりも溝幅の狭い挿通溝により連結することによって前記各連結孔群に楔差込用長孔を形成したことを特徴とする型枠パネル固定補助具。
【請求項２】
帯板状に形成される複数本の基板本体からなり、前記各基板本体は少なくとも両端部を含めその長手方向に沿って連結孔群が等間隔に列設され、前記各連結孔群は前記基板本体の長手方向に沿って並ぶ２または３個の連結孔を備え、
前記各連結孔は同じ内径を有すると共にそれら隣り合う連結孔を該連結孔の内径よりも溝幅の狭い挿通溝により連結することによって前記各連結孔群に楔差込用長孔を形成し、
前記各基板本体における各連結孔群間のいずれか１つの間隔寸法を同じ基板本体における他の間隔寸法とは異ならせると共に、これら１つの間隔寸法は前記各基板本体により段階的に大きくなるように設定されていることを特徴とする型枠パネル固定補助具。
【請求項３】
前記基板本体の長手方向の一端部に、前記型枠パネルの外側面に添設される補強杆を挿通して該補強杆に掛け止めする環状固定金具を取着した請求項１又は２記載の型枠パネル固定補助具。
【発明の詳細な説明】
【技術分野】
【０００１】
本発明は、コンクリート打設用の型枠パネルを組み立てる際に、該型枠パネルを補強するため該型枠パネルの外側面に添設され互いに対向位置する補強杆間に差し渡し、その補強杆を固定するために使用される型枠パネル固定補助具に関するものである。
【背景技術】
【０００２】
従来、例えばマンション等のコンクリートの建物を構築する場合であって、コンクリートを打設して水平断面が矩形状の柱を形成するには、あらかじめ、その外形形状に沿って複数枚の型枠パネルを壁状に組み立てる。そして、その組み立てに際しては、該各型枠パネルを補強して変形を防止するため、通常、該型枠パネルの外側面に金属パイプからなる何本もの補強杆をほぼ水平に添設している。そこで、これら補強杆を固定、特にそのコーナー部を固定するものとして特許文献１に示されるような補強具や特許文献２に示されるようなサポート用部材が有った。
【０００３】
【特許文献１】特開平９−３１７１７５号公報(第３−４頁、図１、図３)
【特許文献２】登録実用新案第３０２８６１６号公報（第８−１１頁、図１、図２）
【発明の開示】
【発明が解決しようとする課題】
【０００４】
ところで、型枠パネルの外側面に添設される複数本の補強杆を固定するに、前記特許文献１の補強具を使用する場合は、補強具を各補強杆に取着してから該補強具の中央部をターンバックルのように何回も回動させて締め止めすることになるので、その操作が面倒であり時間も掛かる。前記特許文献２のサポート用部材を使用する場合は、該サポート部材を金属パイプと水平既設面との間に斜めに張設して固定することになるので、この場合もその操作が面倒であり時間も掛かる。しかも、通常、これら補強具やサポート用部材の取付個所は数多く存在することから、型枠パネルの組立における作業性が上がらず、このため工期の短縮及び施工コストの低廉がうまく図れないという課題が有る。また、前記特許文献１の補強具や特許文献２のサポート用部材は、いずれも構造が複雑であって精巧に製作されていることから、コスト的に高く、数多く揃えると経済的な負担が大きくなるという課題も有る。
【０００５】
そこで、本発明は、前記課題に鑑みてなされたものであり、面倒な手間や多くの時間が掛からず簡単な操作で補強杆が固定でき、型枠パネルの組立における作業性が向上し、引いては工期の短縮及び施工コストの低廉を可能とし、更にはコスト的にも低廉になし得て経済的に多くの負担が掛からない型枠パネル固定補助具を提供することを目的とする。
【課題を解決するための手段】
【０００６】
かかる目的を達成するため、本発明に係る型枠パネル固定補助具は、帯板状に形成される基板本体に少なくとも両端部を含めその長手方向に沿って連結孔群を等間隔に列設し、前記各連結孔群は前記基板本体の長手方向に沿って並ぶ２または３個の連結孔を備え、前記各連結孔は同じ内径を有すると共にそれら隣り合う連結孔を該連結孔の内径よりも溝幅の狭い挿通溝により連結することによって前記各連結孔群に楔差込用長孔を形成したことを特徴とする。
【０００７】
また、本発明に係る型枠パネル固定補助具は、帯板状に形成される複数本の基板本体からなり、前記各基板本体は少なくとも両端部を含めその長手方向に沿って連結孔群が等間隔に列設され、前記各連結孔群は前記基板本体の長手方向に沿って並ぶ２または３個の連結孔を備え、前記各連結孔は同じ内径を有すると共にそれら隣り合う連結孔を該連結孔の内径よりも溝幅の狭い挿通溝により連結することによって前記各連結孔群に楔差込用長孔を形成し、前記各基板本体における各連結孔群間のいずれか１つの間隔寸法を同じ基板本体における他の間隔寸法とは異ならせると共に、これら１つの間隔寸法は前記各基板本体により段階的に大きくなるように設定されていることを特徴とする。
【０００８】
いずれの場合も、前記基板本体の長手方向の一端部に、前記型枠パネルの外側面に添設される補強杆を挿通して該補強杆に掛け止めする環状固定金具を取着することが好ましい。
【発明の効果】
【０００９】
本発明に係る型枠パネル固定補助具は、対向する補強杆間に基板本体を差し渡し、各補強杆の対向面とは反対面であって該各反対面に接するような位置で各楔差込用長孔に楔を挿通するのみで両補強杆が固定できることになるから、操作が簡単であり、短い場合は複数本の基板本体を連結して使用することができ、面倒な手間や多くの時間が掛からない。よって、固定個所が数多くあっても作業が迅速に行なえ型枠パネルの組立における作業性が向上し、引いては工期の短縮及び施工コストの低廉が可能になるという効果を有する。また、型枠パネル固定補助具は、帯板状に形成される基板本体に連結孔群を複数列設したという簡単な構造であるから、製作が容易であり製作コストが高くならず、数多く揃えても多くの経済的な負担が掛からないという効果を有する。
【００１０】
また、前記基板本体における長手方向の一端部に、型枠パネルの外側面に添設される補強杆を挿通して該補強杆に掛け止めする環状固定金具を取着するようにすれば、これにより補強杆に型枠パネル固定補助具の一端がしっかりと掛け止めでき、固定状態が安定するという効果が有る。
【発明を実施するための最良の形態】
【００１１】
以下、本発明に係る型枠パネル固定補助具の実施の形態を図面に基づき詳しく説明する。図１は本発明に係る型枠パネル固定補助具の斜視図、図２は同一部の拡大平面図である。型枠パネル固定補助具Ａは、帯板状に形成された鋼製の基板本体１からなり、例えば幅が３０ｍｍ、厚みが５ｍｍ、長さが１１０５ｍｍに設定されている。
【００１２】
そして、基板本体１に少なくとも長手方向の両端部を含めその長手方向に沿って連結孔群２が等間隔に列設される。各連結孔群２は、基板本体１の長手方向に沿った中央線Ｃ上に等間隔に並ぶ３個の連結孔３，３，３を備えている。基板本体１を図２に基づき更に詳しく説明すると、３個の連結孔３，３，３の中心Ｏは、前記中央線Ｃ上に位置し、しかも、それら中心Ｏはそれぞれ１３ｍｍの間隔離れて配置される。また、各連結孔３の内径はすべて同じく９ｍｍである。これら連結孔３は、後記する連結ボルト８を挿通するためのもので、基板本体１の表面から裏面に貫通されている。
【００１３】
前記隣り合う各連結孔３，３間には、中央線Ｃに沿って挿通溝３ａが直線状に連結される。これにより、各連結孔３が挿通溝３ａと連通して楔差込用長孔４が形成される。挿通溝３ａの溝幅は５ｍｍに設定される。これは後記する側面三角形状の鉄板からなる楔１４が挿通できる幅である。なお、連結孔３の内径よりも挿通溝３ａの溝幅の方が狭くなる。
【００１４】
連結孔群２は前記のように構成され、各連結孔群２は中央線Ｃ上で１０ｍｍの間隔離して等間隔に列設される。基板本体１の長手方向の端部にあっては、一応、その端縁から１０ｍｍ離した位置に連結孔群２の端部の連結孔３が設けられているが、この端部にあっては厳密に１０ｍｍでなくても良い。なお、これら連結孔群２は、基板本体１の全長に亘りすべて設けても良く、使用頻度の高い範囲のみに亘り設けるようにしても良い。いずれの場合も、基板本体１における長手方向の両端部には連結孔群２を必ず設ける。
【００１５】
型枠パネル固定補助具Ａとして長さ１１０５ｍｍのものを説明したが、この他に例えば図３に示すように長さ４８５ｍｍ、７１５ｍｍ、１７７５ｍｍの長さの型枠パネル固定補助具Ａ１，Ａ２，Ａ３を用意しておく。これは、対向する補強杆１１，１１間の間隔が広く、前記１本の型枠パネル固定補助具Ａのみでは短くて間に合わない場合に、他の適宜型枠パネル固定補助具Ａ１〜Ａ３を継ぎ足して使用できるようにするためである。
【００１６】
図３において、５は金属製の環状固定金具であり、基板本体１の一端部に取着され補強杆１１に挿通して固定するものである。この場合は、専ら楔１４を使用しない。環状固定金具５は側面略Ｃ型に形成され、両端部に所定の間隔離して平行に外側へ延設される保持板部６，６が一体に設けられる。その間隔は、基板本体１のほぼ厚みに相当する。両保持板部６，６に、前記基板本体１の連結孔３と同じ内径の一対の挿通孔７，７が同一軸線上に貫設される。各保持板部６における両挿通孔７，７間のピッチは、基板本体１の隣り合う連結孔群２，２における最も遠い両端に位置する連結孔３，３間の寸法に合わせてある。
【００１７】
また、両保持板部６，６には、両挿通孔７，７間に位置して楔１４を挿通する楔挿通溝７ａ，７ａが開設されている。各楔挿通溝７ａ，７ａは、その長さが楔差込用長孔４よりも少し短く設定され、溝幅は楔差込用長孔４の溝幅５ｍｍと同じに設定される。これら楔挿通溝７ａ，７ａ内にも、両挿通孔７，７と所定のピッチを離し該挿通孔７と同じ内径の一対の挿通孔７ｂ，７ｂが開設されている。
【００１８】
図４は型枠パネルを組み立てる状態示す斜視図であり、型枠パネル１０は例えば横６００ｍｍ、縦１８００ｍｍのベニア板の一側面にその長手方向に沿って平行に縦杆を固定して形成されている。そして、これら型枠パネル１０を平面コ字型に立設し、それら外側面の上下に金属製の角筒パイプからなる複数本の補強杆１１をほぼ水平に添設する。各補強杆１１は、型枠パネル１０を内側から外側へ貫通するセパレーターと称される連結具１２の端部に設けられた長溝１３に楔１４を挿通し型枠パネル１０側へ圧接されて固定されるようになっている。ただ、各補強杆１１にはもう１本の補助杆１５が対として少しの隙間を離して平行に配置される。
【００１９】
そこで、図４、図５に示すように相対向する型枠パネル１０ａ，１０ｂの外側面に添設された補強杆１１ａ，１１ｂ間に、型枠パネル固定補助具Ａの基板本体１を差し渡す。この際、基板本体１の両端部は、各補強杆１１ａ，１１ｂと各補助杆１５，１５との間の隙間に差し込まれる。そして、前記両補強杆１１ａ，１１ｂの対向面とは反対面であって該各反対の側面より外側へ十分に突出している必要があり、これにより端部側の連結孔群２が両補強杆１１ａ，１１ｂの外側に位置することになる。そこで、両楔１４，１４によって両補強杆１１ａ，１１ｂが挟まれるように、基板本体１の両端部側の適宜連結孔群２，２の楔差込用長孔４，４にそれぞれ楔１４を差し込み両補強杆１１ａ，１１ｂを固定する。
【００２０】
このようにして、型枠パネル１０がしっかりと組み立てられる。他の部位についても、型枠パネル固定補助具Ａを使い各補強杆１１を同様にして固定する。但し、両補強杆１１，１１の間隔が広すぎて前記型枠パネル固定補助具Ａでは短い場合は、その長さに合わせて図３の適宜型枠パネル固定補助具Ａ〜Ａ３中から１本選び２本とする。例えば、型枠パネル固定補助具Ａと型枠パネル固定補助具Ａ１を選び、図６に示すように互いに端部を重ね合わせると共に合致する一対の連結孔３，３にそれぞれ連結ボルト８を挿通し、該各連結ボルト８に蝶ナット９を螺締する。なお、連結ボルト８には、通常のナットを使用しても良い。このように形成された型枠パネル固定補助具Ａ，Ａ１も、前記型枠パネル固定補助具Ａと同様に使用することができる。
【００２１】
前記環状固定金具５を取着する場合は、例えば型枠パネル固定補助具Ａ１の一端部を両保持板部６，６の間に挿入し、両保持板部６，６の挿通孔７，７と基板本体１の所定の連結孔３，３とを合致させて、これら挿通孔７，７に連結ボルト８，８を挿通して蝶ナット９，９で螺締する。これにより、図７に示すように基板本体１の一端部に環状固定金具５が取着される。
【００２２】
この構成からなる型枠パネル固定補助具Ａ，Ａ１は、図８に示すように一端部の環状固定金具５に補強杆１１ｂを挿通し、他端部側のいずれかの楔差込用長孔４に楔１４を挿通して両補強杆１１ａ，１１ｂを固定する。
【００２３】
図９に示される４本の型枠パネル固定補助具Ｂ〜Ｂ３は、他の形態を示すものであって、図１に示した型枠パネル固定補助具Ａと同様に、それぞれ帯板状に形成された鋼製の基板本体１からなり、例えば幅が３０ｍｍ、厚みが５ｍｍに設定されている。そして、それら型枠パネル固定補助具Ｂ〜Ｂ３の長さは、前記と同様に、型枠パネル固定補助具Ｂが１１０５ｍｍ、同Ｂ１が４８５ｍｍ、同Ｂ２が７１５ｍｍ、同Ｂ３が１１７５ｍｍに設定されている。なお、これら型枠パネル固定補助具Ｂ〜Ｂ３は、前記型枠パネル固定補助具Ａ〜Ａ３とほとんど同じ構成からなるので、同一部位は同一番号を附することにより詳しい説明は省略する。
【００２４】
各型枠パネル固定補助具Ｂ〜Ｂ３は、いずれも各連結孔群２の長手方向に沿った方向での隣接する連結孔群２，２間の間隔寸法が、１つを除いてすべて同じ１０ｍｍに設定してある。この場合、各基板本体１のほぼ中央部における長手方向に隣接する連結孔群２，２間の間隔寸法Ｄ〜Ｄ３のみが、同じ基板本体１の他の間隔寸法１０ｍｍとは異ならせてあり、これら間隔寸法Ｄ〜Ｄ３は各基板本体１により段階的に大きくなるように設定されている。
【００２５】
すなわち、一番短い型枠パネル固定補助具Ｂ１にあっては、間隔寸法Ｄ１が１００ｍｍ、次に短い型枠パネル固定補助具Ｂ２にあっては、間隔寸法Ｄ２が１０３ｍｍ、通常の型枠パネル固定補助具Ｂにあっては、間隔寸法Ｄが１０６ｍｍ、長い型枠パネル固定補助具Ｂ３にあっては、間隔寸法Ｄ３が１０９ｍｍに設定されている。
【００２６】
このように、型枠パネル固定補助具Ｂ１，Ｂ２，Ｂ，Ｂ３の間隔寸法Ｄ１，Ｄ２，Ｄ，Ｄ３は、順に１００、１０３、１０６、１０９ｍｍと３ｍｍ刻みの差で設定されている。そして、これらを組み合わせることにより、ほとんどの寸法の型枠パネル１０，１０間に添設される補強杆１１，１１が固定できることになる。３ｍｍとしたのは、等間隔に設定された各連結孔群２，２間の間隔寸法が１０ｍｍであるので、それをほぼ３等分する寸法にした訳である。
【００２７】
例えば、２本の型枠パネル固定補助具Ｂ１，Ｂ２の両端部を重ね、合致する連結孔３，３に連結ボルト８を挿通すると共に蝶ナット９を螺締することにより連結する。そして、図５または図８に示されたのと同様に、これを両補強杆１１ａ，１１ｂ間に差し渡して、両端部の楔差込用長孔４，４に楔１４を挿通しまたは一端部に取着した環状固定金具５を補強杆１１ｂに挿通して使用する。本来、隣り合う連結孔群２，２間の間隔寸法が１０ｍｍであるので、両補強杆１１，１１を１０ｍｍピッチでしか固定できないことになる。ところが、３ｍｍ間隔の設定も行なえることから、例えば３ｍｍのピッチで固定できることになる。更に、通常の型枠パネル固定補助具Ｂを加え、３本の型枠パネル固定補助具Ｂ，Ｂ１，Ｂ２を重ねると、更に、６ｍｍ間隔の設定も行なえることになり、結果、３、６、１０ｍｍといった約３ｍｍのピッチで両補強杆１１，１１を固定できるので、両補強杆１１，１１間のほとんどの間隔に対応できることになる。
【００２８】
型枠パネル固定補助具Ｂ〜Ｂ３にあっては、すべての基板本体１の中央部に間隔寸法Ｄ〜Ｄ３の異なる部位を設けるようにしたが、その部位は各基板本体によってまちまちに設けるようにしても良い。
【００２９】
このように、本発明は、基板本体１に他の基板本体１を接続するための連結孔３を複数組設けると共に該連結孔３を利用して楔１４を挿通する楔差込用長孔４も同時に開設するようにして、連結孔群２に、基板本体１同士の連結のためと楔１４を挿通するためとの二つの機能を同時に持たせるようにしたものである。
【００３０】
これによって、型枠パネル１０の外側面に添設される一対の補強杆１１，１１の間隔が近くても離れていても、型枠パネル固定補助具Ａ〜Ａ３または型枠パネル固定補助具Ｂ〜Ｂ３を１本又は２本以上適宜組み合わせて使用するようにすれば、ほとんど間に合う。しかも、これらは持ち運び易く手軽に扱え、製造コストも低廉になし得る。
【００３１】
また、本発明は、対向する一対の補強杆１１，１１間に基板本体１を差し渡し、各補強杆１１，１１の対向面とは反対面であって該各反対面に接するような位置で、各楔差込用長孔４にそれぞれ楔１４を挿通するのみで両補強杆１１，１１が固定できることになるので、操作が簡単であり面倒な手間や多くの時間が掛からない。よって、固定個所が数多くあっても、それら作業が迅速に行なえ型枠パネルの組立における作業性が向上する。本発明の型枠パネル固定補助具Ａ〜Ａ３，Ｂ〜Ｂ３を使用することによって型枠パネル１０が強固に固定できるので、必要なければ前記セパレーターと称される連結具１２を使用しなくても済み、この場合は型枠パネル１０の組み立て作業が簡素化され、作業性が向上する。
【００３２】
更に、前記基板本体１における長手方向の一端部に、型枠パネル１０の外側面に添設される補強杆１１を挿通して該補強杆１１に掛け止めする環状固定金具５を取着するようにすれば、補強杆１１に型枠パネル固定補助具Ａ〜Ａ３，Ｂ〜Ｂ３の一端がしっかりと掛け止めでき、固定状態が安定する。
【００３３】
なお、通常、基板本体１の両端部を残したほぼ中央部で楔１４を使用することはほとんど稀なので、その中央部に、楔差込用長孔４を設けず単に連結孔３のみを同じピッチ、例えば１０ｍｍ、６ｍｍまたは３ｍｍで列設するようにしても良い。また、本発明では連結孔群２における連結孔３の数を３個で説明したが、２個であっても良いことは勿論である。
【図面の簡単な説明】
【００３４】
【図１】本発明に係る型枠パネル固定補助具の斜視図。
【図２】同一部の拡大平面図。
【図３】他の型枠パネル固定補助具を示す斜視図。
【図４】型枠パネルを組み立てる状態を示す斜視図。
【図５】型枠パネル固定補助具の使用状態を示す側面断面図。
【図６】２本の型枠パネル固定補助具を接続した状態の側面断面図。
【図７】環状固定具を取着した２本の型枠パネル固定補助具の斜視図。
【図８】同使用状態を示す側面断面図。
【図９】他の形態の型枠パネル固定補助具を示す斜視図。
【符号の説明】
【００３５】
１          基板本体
２          連結孔群
３          連結孔
３ａ        挿通溝
４          楔差込用長孔
５          環状固定金具
１０        型枠パネル
１１        補強杆
１４        楔
Ａ〜Ａ３    型枠パネル固定補助具
Ｂ〜Ｂ３    型枠パネル固定補助具
【図１】
2008303649.tif 000003
【図２】
2008303649.tif 000004
【図３】
2008303649.tif 000005
【図４】
2008303649.tif 000006
【図５】
2008303649.tif 000007
【図６】
2008303649.tif 000008
【図７】
2008303649.tif 000009
【図８】
2008303649.tif 000010
【図９】
2008303649.tif 000011